(57)【要約】【課題】快適、高音質な音響再生が可能で、使用環境への高適応性、高利便性を有する携帯端末装置を提供する。【解決手段】携帯端末装置の音響再生システムにおいて、携帯端末装置に少なくとも２つの音響用スピーカ２ａ、２ｂが設けられ、前記少なくとも２つの音響用スピーカは、携帯端末装置の長手方向又は対角線の両端に位置し、少なくとも２つの音響用スピーカのうち少なくとも一方の音響用スピーカは受聴者への音響伝播方向に沿うように携帯端末装置の筐体壁と角度変更可能であり、又は、少なくとも２つの音響用スピーカのうち少なくとも一方の音響用スピーカはクロストークを防止するように他の音響スピーカに対して外向きに角度変更可能である。【選択図】  図１
2011147140.tif 000002
【特許請求の範囲】
【請求項１】
携帯端末装置の音響再生システムにおいて、
携帯端末装置に少なくとも２つの音響用スピーカが設けられ、
前記少なくとも２つの音響用スピーカは、前記携帯端末装置の長手方向又は対角線の両端に位置し、前記少なくとも２つの音響用スピーカのうち少なくとも一方の音響用スピーカは受聴者への音響伝播方向に沿うように前記携帯端末装置の筐体壁と角度変更可能であり、又は、前記少なくとも２つの音響用スピーカのうち少なくとも一方の音響用スピーカはクロストークを防止するように他の音響スピーカに対して外向きに角度変更可能であることを特徴とする携帯端末装置の音響再生システム。
【請求項２】
前記少なくとも２つの音響用スピーカの間にクロストーク防止壁を設け、前記クロストーク防止壁は、個々の音響用スピーカから発生するクロストークを防ぐことを特徴とする、請求項１に記載の携帯端末装置の音響再生システム。
【請求項３】
前記クロストーク防止壁は折り畳み又は取り外し可能であることを特徴とする、請求項２に記載の携帯端末装置の音響再生システム。
【請求項４】
前記携帯端末装置にクロストーク削除の信号処理回路を設け、前記クロストーク削除の信号処理回路は、前記少なくとも２つの音響用スピーカの入力信号を処理してクロストークを削除することを特徴とする、請求項１に記載の携帯端末装置の音響再生システム。
【請求項５】
前記少なくとも２つの音響用スピーカのうち少なくとも一方は携帯端末装置の筐体壁位置より凹んだ位置に設置されることを特徴とする、請求項１に記載の携帯端末装置の音響再生システム。
【請求項６】
前記少なくとも一方の音響用スピーカの一部又は全てを前記携帯端末装置の筐体壁の多孔部で覆うか又は前記スピーカの振動面を覆う筐体壁を削除することを特徴とする、請求項５に記載の携帯端末装置の音響再生システム。
【請求項７】
前記少なくとも２つの音響用スピーカのうち少なくとも一方の音響用スピーカは、前記携帯端末装置の両端の側面からはみ出して設置されることを特徴とする、請求項１に記載の携帯端末装置の音響再生システム。
【請求項８】
前記少なくとも一方の音響用スピーカは前記携帯端末装置の前面から奥の方に位置し、前記少なくとも一方の音響スピーカの一部を前記携帯端末装置の筐体壁の多孔部で覆うか又は前記少なくとも一方の音響用スピーカの振動面を覆う筐体壁を削除することを特徴とする、請求項７に記載の携帯端末装置の音響再生システム。
【請求項９】
携帯端末装置の音響再生方法において、
携帯端末装置に設けられる少なくとも２つの音響用スピーカは、前記携帯端末装置の長手方向又は対角線の両端に位置し、前記少なくとも２つの音響用スピーカのうち少なくとも一方の音響用スピーカは受聴者への音響伝播方向に沿うように前記携帯端末装置の筐体壁と角度変更可能であり、又は、前記少なくとも２つの音響用スピーカのうち少なくとも一方の音響用スピーカはクロストークを防止するように他の音響スピーカに対して外向きに角度変更可能であることを特徴とする携帯端末装置の音響再生方法。
【請求項１０】
前記少なくとも２つの音響用スピーカの間に設けられたクロストーク防止壁は、個々の音響用スピーカから発生するクロストークを防ぐことを特徴とする、請求項９に記載の携帯端末装置の音響再生方法。
【発明の詳細な説明】
【技術分野】
【０００１】
本発明は、携帯電話、ＰＨＳ（Ｐｅｒｓｏｎａｌ  Ｈａｎｄｙ  Ｐｈｏｎｅ  Ｓｙｓｔｅｍ）、コードレス電話、親子電話の子機、ＰＤＡ（Ｐｅｒｓｏｎａｌ  Ｄｉｇｉｔａｌ  Ａｓｓｉｓｔａｎｔｓ）等の、無線電話を含む携帯端末装置に関する。特に、本発明は、高音質の音響再生を実現するための携帯端末装置の音響再生システム及び方法に関する。
【背景技術】
【０００２】
従来の携帯電話などの携帯端末装置におけるスピーカ類の設置については、着信を知らせる手段として、ベル音を発生するリンガ、振動を引き起こすバイブレータのためにマイクロモータ等が携帯端末装置の筐体に取り付けられている。
また、携帯端末装置の基本機能である受話音の再生、留守録音等の拡声を行うために、マイクロスピーカが取り付けられ、音声を集音するためにマイクロフォンがそれぞれ取り付けられるのが一般的である。
【０００３】
特許文献１には、携帯端末装置において、イヤホン、ヘッドホンを用いてステレオ音響を聴取することが記載されている。
この場合、イヤホン、ヘッドホンを長時間使用すると、耳との接触箇所に痛みが生じたり、移動する際に携帯端末装置と一緒に持ち歩かねばならないという不便があり、また複数の人数で同時に聴取できなく、快適さ、利便性という点に関し十分とは言えないという問題があった。
【０００４】
さらに、特許文献２にはパーソナルコンピュータ（ＰＣ）、ワークステーション等について、特許文献３にはノート型パーソナルコンピュータについて、イヤホン、ヘッドホン無しのスピーカによるステレオ音響再生が開示されている。
スピーカのステレオ音響再生では、音源の空間的広がりや、イヤホン、ヘッドホンには無い後述するクロストークが生じる。このため、左右のスピーカ間の間隔が一定距離以上に確保され、各左右スピーカに対して受聴者の両耳間の音圧差、位相差が一定値以上に確保される。左右のスピーカが接近して各左右スピーカに対して受聴者の両耳間の音圧差、位相差が小さくなると、クロストークに起因してステレオ効果が無くなり、モノラルに近づいてしまう。
【０００５】
ところで、携帯端末装置は、上記パーソナルコンピュータ等よりも小型であるため、当然に左右のスピーカ間の間隔も狭くなり、ステレオ効果を確保することが困難であり、高音質のステレオ再生を実現するのが困難であるという問題を有する。
ところで、近年、携帯端末装置は、マルチメディア化が顕著になり、携帯端末装置の内蔵メモリ容量増加、記憶媒体の導入、通信の高速度化により、画像、音楽などの大容量データを扱うようになってきた。さらに、携帯電話を始めとする携帯端末装置の普及率はめざましく、また多くの人が外出時に携帯するため、これに他の付加機能をつけて利便性を向上させるという課題がある。
【０００６】
携帯端末装置を用いて、マルチメディアデータがもたらす高品位かつ快適な音響を視聴するためには、携帯端末装置に対し、快適な音響のステレオ再生だけでなく、高品位を確保するために音響の周波数の広帯域性を確保することが要求されるという課題がある。
さらに、限られた領域内で複数の人数で聴取したり、周囲への迷惑を回避したり使用環境に適するように、携帯端末装置に対し、音響の指向性を確保することが要求されるという課題がある。
【０００７】
また、上記とは逆に、より多くの人と聴取を行うため、音響の無指向性を確保することが要求されるという課題がある。
さらに、２カ国語またはそれ以上の音源に対して双方が個別に聴取可能な利便性が要求されるという課題がある。
【先行技術文献】
【特許文献】
【０００８】
【特許文献１】特開平１０−２７６２５０号公報
【特許文献２】特開平８−１７１４７７号公報
【特許文献３】特開平９−１２０３５４号公報
【発明の概要】
【発明が解決しようとする課題】
【０００９】
したがって、本発明は上記問題点、要求に鑑みて、快適、高音質な音響再生が可能で、使用環境への高適応性、高利便性を有する携帯端末装置の音響再生システム及び方法を提供することを目的とする。
【課題を解決するための手段】
【００１０】
本発明は、前記問題点を解決するために、携帯端末装置の音響再生システムにおいて、携帯端末装置に少なくとも２つの音響用スピーカが設けられ、前記少なくとも２つの音響用スピーカは、前記携帯端末装置の長手方向又は対角線の両端に位置し、前記少なくとも２つの音響用スピーカのうち少なくとも一方の音響用スピーカは受聴者への音響伝播方向に沿うように前記携帯端末装置の筐体壁と角度変更可能であり、又は、前記少なくとも２つの音響用スピーカのうち少なくとも一方の音響用スピーカはクロストークを防止するように他の音響スピーカに対して外向きに角度変更可能であることを特徴とする携帯端末装置の音響再生システムを提供する。
【００１１】
この手段により、携帯端末装置は、快適、高音質な音響再生を行え、使用環境への高適応性、高利便性を有するようになった。００１９  すなわち、携帯端末装置が机、床等の低い場所に置かれたとき、少なくとも２つの音響用スピーカのうち少なくとも一方のからの音響の伝播方向が受聴者に向き、聞きやすくなる。
【００１２】
さらに、ステレオ音響再生時に音響用スピーカ間のクロストークを回避でき、携帯端末装置では高音質のステレオ音響再生が可能になる。携帯端末装置が小型化した場合には、少なくとも２つの音響用スピーカが互いに外側に向くことにより、音響用スピーカ間のクロストークを回避することが可能になる。
さらに、携帯端末装置に対する受聴者の位置、携帯端末装置の小型化の状況に応じて、音響用スピーカの角度が任意に変更することができる。
【００１３】
好ましくは、前記少なくとも２つの音響用スピーカの間にクロストーク防止壁を設け、前記クロストーク防止壁は、個々の音響用スピーカから発生するクロストークを防ぐ。
この手段により、少なくとも２つの音響用スピーカが非常に接近した場合に生じるクロストーク成分が物理的に削除される。
好ましくは、前記クロストーク防止壁は折り畳み、取り外し可能である。
【００１４】
この手段により、音響用スピーカが不要で、携帯端末装置の持ち運び時にクロストーク防止壁が引っかかったりして破損するのを防止する。
好ましくは、前記携帯端末装置にクロストーク削除の信号処理回路を設け、前記クロストーク削除の信号処理回路は、前記少なくとも２つの音響用スピーカへの入力信号を処理してクロストークを削除する。
この手段により、クロストーク防止壁なしに音響用スピーカ間のクロストークの削除が可能になる。
【００１５】
好ましくは、前記少なくとも２つの音響用スピーカのうち少なくとも一方は携帯端末装置の筐体壁位置より凹んだ位置に設置される。
この手段により、凹みを設けなかった場合と比較して、外部への突出部分を低減して引っかかりが少ないクロストーク防止壁が実現できる。
好ましくは、前記少なくとも一方の音響用スピーカの一部又は全てを前記携帯端末装置の筐体壁の多孔部で覆うか又は前記スピーカの振動面を覆う筐体壁を削除する。
【００１６】
この手段により、音響用スピーカからの音響の音圧を向上することが可能になる。
好ましくは、前記少なくとも一方の音響用スピーカは、前記携帯端末装置の両端の側面からはみ出して設置される。
この手段により、音響用スピーカ間の距離が大きくなり、音響用スピーカ間のクロストークを低減でき、クロストーク防止壁なしで高音質のステレオ音響再生が可能になる。
【００１７】
好ましくは、前記少なくとも一方の音響用スピーカは前記携帯端末装置の前面から奥の方に位置し、前記少なくとも一方の音響用スピーカの一部を前記携帯端末装置の筐体壁の多孔部で覆うか又は前記少なくとも一方の音響用スピーカの振動面を覆う筐体壁を削除する。
この手段により、音響用スピーカ間の距離が大きくなり、音響用スピーカ間のクロストークを低減でき、クロストーク防止壁なしで高音質のステレオ音響再生が可能になると同時に音響用スピーカの音圧を大きくすることが可能になる。
【００１８】
好ましくは、はみ出した前記少なくとも一方の音響用スピーカが前記携帯端末装置内に収納される。
この手段により、携帯端末装置の携帯時に突出している音響用スピーカが収納されるので、持ち運び時に引っかかったりする障害となることが回避できる。
好ましくは、前記少なくとも２つの音響用スピーカは前記携帯端末装置に一列のスピーカアレイに配列される。
【００１９】
この手段により、スピーカアレイの方向に指向性が向上するので、携帯端末装置を用いて、喫茶店などの場所で、少人数の受聴者で音響を聴取するときなど、受聴者のみに音響が到達し、第３者には音響が到達しなようにすることができ、ヘッドホンなどを用いることなく、周囲への迷惑を回避した音響聴取が可能になる。
好ましくは、前記少なくとも２つの音響用スピーカは互いに異なる方向に向けて前記携帯端末装置に配列される。
【００２０】
この手段により、音響用スピーカを互いに外向きに設置することが可能になるので、音響用スピーカの音響のクロストークは小さくなり、より高音質のステレオ音響再生が実現可能になる。さらに、音響用スピーカを携帯端末装置の四方に向けて設置することにより、より無指向性の効果を向上させることができる。これにより、多人数の受聴者に聴取させる場合に便利である。
好ましくは、前記少なくとも２つの音響用スピーカは異なる方向に個々に異なる音響が聴取されるように音響再生を行う。
【００２１】
この手段により、個々に異なる音響として、例えば、２カ国語の音声が複数人で聴取され、１台の携帯端末装置１で複数の言語を同時に聴取することが可能になる。
好ましくは、前記携帯端末装置に指向性の絞り信号処理回路が設けられ、前記指向性の絞り信号処理回路は、前記少なくとも２つの音響用スピーカへの入力信号を処理し指向性の方向を絞る。
【００２２】
この手段により、少ない数の音響用スピーカで音響伝播の指向性が信号処理により一定方向に絞られる。
好ましくは、前記携帯端末装置に無指向性信号処理回路を設け、前記無指向性信号処理回路は前記少なくとも２つの音響用スピーカの入力信号を処理し、無指向性にする。
この手段により、少ない数の音響用スピーカで音響伝播がより広角に広がる無指向性が実現されることにより、１台の携帯端末装置にて音響用スピーカを増設することなく、多人数の受聴者により音響聴取が可能になる。
【００２３】
好ましくは、前記携帯端末装置に前記少なくとも２つの音響用スピーカの指向性に関する方向を絞る指向性の絞り信号処理回路と、前記少なくとも２つの音響用スピーカを無指向性にする無指向性信号処理回路とを設け、前記指向性の絞り信号処理回路、前記無指向性信号処理回路が択一的に選択される。
この手段により、信号処理機能を選択可能にしたので、状況に応じて最適な信号処理を行うことが可能になると同時に、常に快適な音響聴取が可能になる。
【００２４】
好ましくは、高効率な前記少なくとも２つの音響用スピーカを用い、音響再生時にアンプレスの駆動を可能にする。
この手段により、音響用スピーカに高効率なものを適用することにより、アンプレスの駆動が可能な構造となり、アンプが不要となることで、携帯端末装置の部品点数が低減され、小型軽量化が実現でき、低消費電力化が実現され、１回の充電での携帯端末装置の未使用可能時間が増加する。
【００２５】
好ましくは、前記少なくとも２つの音響用スピーカから個々の音響を再生し、個々の音響の音量を独自に調整可能にする。
この手段により、例えば、２カ国語を聴取しながら、外国語を学ぶような場合、外国に比して母国語の音量を小さくした聴取により学習能率が向上できる。
好ましくは、前記少なくとも２つの音響用スピーカは、中音〜高音域に特化した特性、低音域に特化した特性をそれぞれ有する。
【００２６】
この手段により、高帯域でより高音質の音響再生が可能になる。
好ましくは、前記少なくとも２つの音響用スピーカは、前記携帯端末装置が机、床、壁際を含む面に接して設置された際に、音響の反射が利用できるようにする。
この手段により、携帯端末装置が机等の面に接した際に、低音成分が机等の面で反射して位相が逆転して、音響用スピーカの前方から出る低音成分と同相になり、前方から出る低音成分を補強することが可能になる。
【００２７】
好ましくは、前記少なくとも２つの音響用スピーカの音響再生と前記携帯端末装置の通話を同時に可能にする。さらに、好ましくは、前記少なくとも２つの音響用スピーカの音響再生信号が前記携帯端末装置の通話相手にも聴取可能なように送信される。
これらの手段により、携帯端末装置を用いてＢＧＭを伴った会話の実現が可能になる。
【００２８】
好ましくは、前記少なくとも２つの音響用スピーカの少なくとも１つは、通話マイクロフォン兼用の音響用スピーカ、受話スピーカ兼用の音響用スピーカ、リンガ兼用の音響用スピーカ、バイブレータ兼用の音響用スピーカ、画面表示モニタ兼用の音響用スピーカ、キーパネル兼用の音響用スピーカを含む前記携帯端末装置のデバイスと兼用する。
【００２９】
この手段により、音響用スピーカとデバイスとを兼用することで、携帯端末装置の部品点数が低減され、小型軽量化が実現できる。
好ましくは、前記携帯端末装置には音響信号発生装置が接続され、前記音響信号発生装置は音響データを有し、前記少なくとも２つの音響用スピーカは、前記音響信号発生装置から得た前記音響データを音響再生する。
【００３０】
この手段により、携帯端末装置を外付け音響用スピーカのように機能させ、他の音源からの音響を再生する機能を付加することにより、より多くの音響データに対応可能になるとともに、携帯端末装置以外に音響用スピーカを別途携帯することが不要となる。
好ましくは、前記携帯端末装置には前記音響信号発生装置が複数接続され、スイッチで取得先である音響信号発生装置を切り換える。
【００３１】
この手段により、複数の音源からの音響が容易に比較できるなど、利便性が向上する。
好ましくは、前記少なくとも２つの音響用スピーカをアンプレス駆動可能とし、前記携帯端末装置自体の電源を切った状態で、前記音響信号発生装置から得た前記音響データの音響再生を可能にする。
【００３２】
この手段により、外部からの入力信号を再生する場合、携帯端末装置自体の電源を切った状態での音響再生が可能になる。これにより、携帯端末装置が節電され、１回の充電に対する使用可能時間が増加し、バッテリーの残量にとらわれることなく、高音質の音響再生が可能になる。
好ましくは、前記携帯端末装置は前記音響信号発生装置からのデータを無線で得る。この手段として、ｂｌｕｅｔｏｏｔｈなどの適用が可能であり、ケーブルが不要となるので、システムの構成を簡素化できる。
好ましくは、前記携帯端末装置にはヘッドホン又はイヤホンが接続され、前記ヘッドホン又はイヤホンから前記少なくとも２つの音響用スピーカに代わり再生音響が聴取される。
【００３３】
さらに、好ましくは、前記ヘッドホン又はイヤホンから前記少なくとも２つの音響用スピーカからの再生音響と前記携帯端末装置の通話音声とが同時に聴取される。
これらの手段により、周囲の多大な迷惑とならずに、心地よいＢＧＭを伴った会話が実現できる。また、ＢＧＭに駅の騒音、雑踏、デパート、居酒屋の喧騒など選択することにより、より会話を弾ませることが可能になる。
好ましくは、前記携帯端末装置は伸張式であり、さらに、好ましく、前記携帯端末装置は折り畳み式である。
【００３４】
これらの手段により、本発明は、伸張式、折り畳み式の携帯端末装置にも、同様に、適用可能であり、高音質のステレオ音響再生が可能である。
【００３５】
さらに、本発明は、携帯端末装置の音響再生方法において、携帯端末装置に設けられる少なくとも２つの音響用スピーカは、前記携帯端末装置の長手方向又は対角線の両端に位置し、前記少なくとも２つの音響用スピーカのうち少なくとも一方の音響用スピーカは受聴者への音響伝播方向に沿うように前記携帯端末装置の筐体壁と角度変更可能であり、又は、前記少なくとも２つの音響用スピーカのうち少なくとも一方の音響用スピーカはクロストークを防止するように他の音響スピーカに対して外向きに角度変更可能であることを特徴とする携帯端末装置の音響再生方法を提供する。
この手段により、上記発明と同様に、携帯端末装置は、快適、高音質な音響再生を行え、使用環境への高適応性、高利便性を有するようになった。すなわち、携帯端末装置が机、床等の低い場所に置かれたとき、少なくとも２つの音響用スピーカのうち少なくとも一方からの音響の伝播方向が受聴者に向き、聞きやすくなる。さらに、ステレオ音響再生時に音響用スピーカ間のクロストークを回避でき、携帯端末装置では高音質のステレオ音響再生が可能になる。携帯端末装置が小型化した場合には、少なくとも２つの音響用スピーカが互いに外側に向くことにより、音響用スピーカ間のクロストークを回避することが可能になる。
【００３６】
好ましくは、前記少なくとも２つの音響用スピーカの間に設けられたクロストーク防止壁は、個々の音響用スピーカから発生するクロストークを防ぐ。
この手段により、少なくとも２つの音響用スピーカが非常に接近した場合に生じるクロストーク成分が物理的に削除される。
【００３７】
さらに、本発明は、携帯端末装置の音響再生方法において、携帯端末装置に設けられる少なくとも２つの音響用スピーカは、同時に駆動され、互いの再生音響を補助し合うことを特徴とする携帯端末装置の音響再生方法を提供する。
この手段により、上記発明と同様に、携帯端末装置は、快適、高音質な音響再生を行え、使用環境への高適応性、高利便性を有するようになった。
【発明の効果】
【００３８】
以上説明したように、本発明によれば、携帯端末装置に複数の音響用スピーカが設けられ、前記少なくとも２つの音響用スピーカは互いの再生音響を補助し合ながら同時に駆動されるので、ヘッドホン、イヤホン、外付けスピーカシステムなどを使用することなく、単体で、快適、高音質な音響再生が可能で、使用環境への高適応性、高利便性を有する携帯端末装置の実現が可能になった。
【図面の簡単な説明】
【００３９】
【図１】本発明に係る携帯端末装置の音響再生システムにおける第１の実施の形態を示す概略構成を示す図である。
【図２】図１の音響用スピーカ２ａ、２ｂのステレオ音響再生を説明する図である。
【図３】本発明に係る携帯端末装置の音響再生システムにおける第２の実施の形態を示す概略構成を示す図である。
【図４】本発明に係る携帯端末装置の音響再生システムにおける第３の実施の形態を示す概略構成を示す図である。
【図５】図４におけるＢａ−Ｂａ’又はＢｂ−Ｂｂ’断面図である。
【図６】本発明に係る携帯端末装置の音響再生システムにおける第４の実施の形態を示す概略構成を示す図である。
【図７】図６におけるＢ−Ｂ’断面図である。
【図８】図６、図７における音響用スピーカ２ａ、２ｂのクロストークの低減を説明する図である。
【図９】本発明に係る携帯端末装置の音響再生システムにおける第５の実施の形態を示す概略構成を示す図である。
【図１０】本発明に係る携帯端末装置の音響再生システムにおける第６の実施の形態を示す概略構成を示す図である。
【図１１】本発明に係る携帯端末装置の音響再生システムにおける第７の実施の形態を示す概略構成を示す図である。
【図１２】図１１における音響用スピーカ２ａ、２ｂを含むＡ−Ａ’断面を矢印方向から見た概略構成図である。
【図１３】図１１、図１２における音響用スピーカ２ａ、２ｂのクロストークの低減を説明する図である。
【図１４】図１１における第７の実施の形態に関する概略構成の第２の変形例を示す図である。
【図１５】図１１における第７の実施の形態に関する概略構成の第３の変形例を示す図である。
【図１６】本発明に係る携帯端末装置の音響再生システムにおける第８の実施の形態を示す概略構成を示す図である。
【図１７】本発明に係る携帯端末装置の音響再生システムにおける第９の実施の形態を示す概略構成を示す図である。
【図１８】本発明に係る携帯端末装置の音響再生システムにおける第１０の実施の形態を示す概略構成を示す図である。
【図１９】本発明に係る携帯端末装置の音響再生システムにおける第１１の実施の形態を示す概略構成を示す図である。
【図２０】図１９における音響用スピーカ２ａ、２ｂを含むＡ−Ａ’断面を矢印方向から見た概略構成図である。
【図２１】クロストーク削除の信号処理を行う回路の概略を示す図である。
【図２２】図２１のクロストークの削除動作を説明する図である。
【図２３】図２０における第１１の実施の形態に関する第１の変形例を示す図である。
【図２４】図２０における第１１の実施の形態に関する第２の変形例を示す図である。
【図２５】本発明に係る携帯端末装置の音響再生システムにおける第１２の実施の形態を示す概略構成を示す図である。
【図２６】図２５における音響用スピーカ２ａ、２ｂを含むＡ−Ａ’断面を矢印方向から見た概略構成図である。
【図２７】本発明に係る携帯端末装置の音響再生システムにおける第１３の実施の形態を示す概略構成を示す図である。
【図２８】図２７における携帯端末装置の側面図である。
【図２９】本発明に係る携帯端末装置の音響再生システムにおける第１４の実施の形態を示す概略構成を示す図である。
【図３０】図２９の音響スピーカアレイ２ｓの指向性を示す図である。
【図３１】本発明に係る携帯端末装置の音響再生システムにおける第１５の実施の形態を示す概略構成を示す図である。
【図３２】本発明に係る携帯端末装置の音響再生システムにおける第１６の実施の形態を示す概略構成を示す図である。
【図３３】図３２の音響用スピーカ２ａ、２ｂの指向性を絞る信号処理の回路例を説明する図である。
【図３４】図３２における第１６の実施の形態に関する第１の変形例であり、音響用スピーカ２ａ、２ｂの指向性を無指向性にする信号処理例を説明する図である。
【図３５】本発明に係る携帯端末装置の音響再生システムにおける第１７の実施の形態を示す概略構成を示す図である。
【図３６】本発明に係る携帯端末装置の音響再生システムにおける第１８の実施の形態を示す概略構成を示す図である。
【図３７】図３６における携帯端末装置１の音響の伝播方向を示す図である。
【図３８】本発明に係る携帯端末装置の音響再生システムにおける第１９の実施の形態を示す概略構成を示す図である。
【図３９】図３８における第１９の実施の形態に関する第１の変形例を示す図である。
【図４０】図３８における第１９の実施の形態に関する第２の変形例を示す図である。
【図４１】図３８における第１９の実施の形態に関する第３の変形例を示す図である。
【図４２】図３８における第１９の実施の形態に関する第４の変形例を示す図である。
【図４３】図３８における第１９の実施の形態に関する第５の変形例を示す図である。
【図４４】図３８における第１９の実施の形態に関する第６の変形例を示す図である。
【図４５】本発明に係る携帯端末装置の音響再生システムにおける第２０の実施の形態を示す概略構成を示す図である。
【図４６】本発明に係る携帯端末装置の音響再生システムにおける第２１の実施の形態を示す概略構成を示す図である。
【発明を実施するための形態】
【００４０】
以下、本発明の実施の形態について図面を参照して説明する。
図１は本発明に係る携帯端末装置の音響再生システムにおける第１の実施の形態を示す概略構成を示す図である。
本図に示すように、携帯端末装置１には、メニュー、電話番号、機能等の表示を行うために液晶（ＬＣＤ）で構成される画面表示モニタ１１、メニューの選択操作電話番号の入力操作、機能選択操作等を行うキーパネル１２、受信した音声をスピーカから聞くための受話口１３、送信すべき音声をマイクロフォンに伝えるための送話口１４と、受信電波を受信信号に変換し、送信信号を送信電波に変換するアンテナ１５等からなる。
【００４１】
さらに、携帯端末装置１には、ステレオ音響再生を行う音響用スピーカ２ａ、２ｂが設けられる。
音響用スピーカ２ａ、２ｂは、携帯端末装置１の前面に、長手方向に対角線上に両端に位置し、携帯端末装置１の前面に向けられ、音響用スピーカ２ａ、２ｂ間の間隔が最大になるように配置されている。
図２は、図１の音響用スピーカ２ａ、２ｂのステレオ音響再生を説明する図である。
本図に示すように、音響用スピーカ２ａ、２ｂにより、左（Ｌｅｆｔ；Ｌ）、右（Ｒｉｇｈｔ；Ｒ）信号がステレオ音響再生され、ステレオ音響再生された音響が受聴者に達する。
【００４２】
このような設置により、音響用スピーカ２ａ、２ｂの快適で高音質な音響再生が可能になる。すなわち、従来のように、ヘッドホン、イヤホン、外付けスピーカシステムなどを用いることなく、携帯端末装置１のみでステレオ音響再生が可能となる。
第１の実施の形態に関する第１の変形例として、携帯端末装置１が机、床、壁際などの面に接して設置された際に、音響用スピーカ２ａ、２ｂの裏面を解放する構造にし、音響の反射が利用できるようにする。
【００４３】
携帯端末装置１は、小型であるため、低音再生が困難である。本発明により、携帯端末装置１が机等の面に接した際に、低音成分が机等の面で反射して位相が逆転して、音響用スピーカ２ａ、２ｂの前方から出る低音成分と同相になり、前方から出る低音成分を補強することが可能になる。
なお、携帯端末装置１が机等の面に接していない場合には、音響用スピーカ２ａ、２ｂの裏面を閉じ、低音成分が回折効果により、音響用スピーカ２ａ、２ｂの前方に回り込んで低音成分の音圧を小さくしないようにする。
【００４４】
第１の実施の形態に関する第２の変形例として、音響用スピーカ２ａ、２ｂに高効率なものを適用することにより、アンプレスの駆動が可能な構造にする。このようにアンプが不要となることで、携帯端末装置１の部品点数が低減され、小型軽量化が実現でき、低消費電力化が実現され、１回の充電での携帯端末装置１の未使用可能時間が増加する。
【００４５】
第１の実施の形態に関する第３の変形例として、音響再生と通話が同時に可能な構成とする。また、音響再生信号が通話相手にも聴取可能なように送信される。これによりＢＧＭを伴った会話の実現が可能になる。
第１の実施の形態に関する第４の変形例として、音響用スピーカ２ａ、２ｂから個々の音響を再生し、個々の音響の音量を独自に調整可能な構造にする。
【００４６】
これにより、例えば、２カ国語を聴取しながら、外国語を学ぶような場合、外国語に比して母国語の音量を小さくした聴取により学習能率が向上できる。
図３は本発明に係る携帯端末装置の音響再生システムにおける第２の実施の形態を示す概略構成を示す図である。
本図に示すように、図１と比較して、携帯端末装置１は伸張式であり、音響用スピーカ２ａ、２ｂは、携帯端末装置１の前面に、長手方向に対角線上に両端に位置する。
【００４７】
本図（ａ）、本図（ｂ）に示すように、携帯端末装置１のフリップ部が伸張されることで、音響用スピーカ２ａ、２ｂ間の距離が広がり、音響用スピーカ２ａ、２ｂ間の間隔が最大になる。これにより、音響用スピーカ２ａ、２ｂにおけるクロストークが低減される。
本発明は、伸張式の携帯端末装置１に適用されるので、移動時の持ち運びの利便性に加えて、高音質のステレオ音響再生を提供することが可能になる。
【００４８】
図４は本発明に係る携帯端末装置の音響再生システムにおける第３の実施の形態を示す概略構成を示す図である。
本図に示すように、図１と比較して、音響用スピーカ２ａ、２ｂは、携帯端末装置１の前面に、長手方向の同一辺の両端に位置し、音響用スピーカ２ａ、２ｂ間の間隔が最大になるように配置されている。
【００４９】
携帯端末装置１では机、床など受聴者の耳よりも低い位置に設置される状態を想定して音響用スピーカ２ａ、２ｂが、以下のように、設置される。
図５は図４におけるＢａ−Ｂａ’又はＢｂ−Ｂｂ’断面図である。本図に示すように、音響用スピーカ２ａ、２ｂは、その設置箇所の携帯端末装置１の筐体壁とある角度をもって設置され、音響用スピーカ２ａ、２ｂからの音響は受聴者の位置５に音響の伝播方向７に沿って達する。
【００５０】
なお、音響用スピーカ２ａ、２ｂと筐体壁との角度、互いの角度は自由に変更することが可能である。
このように、音響用スピーカ２ａ、２ｂの方向を受聴者の位置に向けることで、より聴取しやすい音響の実現が可能になる。
図６は本発明に係る携帯端末装置の音響再生システムにおける第４の実施の形態を示す概略構成を示す図であり、図７は図６におけるＢ−Ｂ’断面図である。
【００５１】
図６に示すように、図２と比較して、音響用スピーカ２ａ、２ｂは、携帯端末装置１の前面に、長手方向の同一辺の両端に位置する点では同一であるが、図７に示すように、音響用スピーカ２ａ、２ｂは互いに外向きに設置される。
なお、音響用スピーカ２ａ、２ｂを互いに外向きにする角度は自由に変更することが可能である。
【００５２】
携帯端末装置１の小型化がさらに進み、音響用スピーカ２ａ、２ｂ間の間隔が小さくなると想定する。これにともなって、音響用スピーカ２ａ、２ｂ間でクロストークが増大して、ステレオ効果を喪失するが、図６に示すように、音響用スピーカ２ａ、２ｂは互いに外向きに設置することにより、以下に説明するように、このクロストークを低減する。
【００５３】
図８は図６、図７における音響用スピーカ２ａ、２ｂのクロストークの低減を説明する図である。
本図（ａ）の場合、受聴者に対して、音響用スピーカ２ａ、２ｂは同じ方向に向いている。音響用スピーカ２ａからの音響の伝播方向７ａは、受聴者の左耳に向かう伝播方向７ａＬ、クロストーク（点線）として右耳に向かう伝播方向７ａＲからなり、音響用スピーカ２ｂからの音響の伝播方向７ｂは、クロストーク（点線）として受聴者の左耳に向かう伝播方向７ｂＬ、右耳に向かう伝播方向７ａＲからなる。
【００５４】
なお、ヘッドホン、イヤホンでは、音響が空間を伝播しないので、このようなクロストークは存在しない。
音響用スピーカ２ａ、２ｂ間の間隔が一定距離以上あれば、音響用スピーカ２ａ、２ｂから伝播方向７ａＬ及び７ａＲの音響、伝播方向７ｂＲ及び７ｂＬの音響により受聴者の両耳でそれぞれ形成される音圧差、位相差が大きく、それらの極性が相互に逆であるので、音響用スピーカ２ａ、２ｂが形成する音源が識別される。
【００５５】
しかしながら、音響用スピーカ２ａ、２ｂが接近すると、音響用スピーカ２ａ、２ｂからの音波が受聴者の両耳でそれぞれ形成する音圧差、位相差が小さい状態で、受聴者の右耳に伝播方向７ｂＲ及び７ａＲ、左耳に７ａＬ及び７ｂＬが達するので、ステレオ効果が喪失し、モノラル効果が得られるだけになる。
本図（ｂ）に示すように、音響用スピーカ２ａ、２ｂは互いに外向きに設置されると、音響用スピーカ２ａから受聴者の右耳に向かう伝播方向７ａＲの音響が右耳に達せず、さらに、音響用スピーカ２ｂから受聴者の左耳に向かう伝播方向７ｂＬの音響が左耳に達しなくなる割合が増加し、クロストークが低減する。
【００５６】
このクロストークが低減するため、受聴者の右耳には音響用スピーカ２ｂからの音響が達し、受聴者の左耳には音響用スピーカ２ａからの音響が達する割合が増加する。このため、受聴者は、音響用スピーカ２ａ、２ｂの音源をそれぞれ識別することが可能になるので、音響用スピーカ２ａ、２ｂの間の間隔が小さくなっても、ヘッドホン、イヤホンと同様なステレオ効果を得ることが可能になる。
【００５７】
図９は本発明に係る携帯端末装置の音響再生システムにおける第５の実施の形態を示す概略構成を示す図である。
本図に示すように、図１と比較して、音響用スピーカ２ａは、携帯端末装置１の正面、上面及び正面からみて左側面にかかって配置されたスピーカであり、音響用スピーカ２ｂは、携帯端末装置１の正面、下面及び正面からみて左側面にかかって配置されたスピーカである。
【００５８】
本発明では、図７、図８で説明したように、クロストーク低減の効果による高音質のステレオ音響再生に加え、図４で説明したように、携帯端末装置１を机、床など受聴者の耳より低い位置に設置した状態で音響用スピーカ２ａ、２ｂの音響の伝播方向を受聴者に向ける構造とするため、より音響を聴取しやすくなる。
図１０は本発明に係る携帯端末装置の音響再生システムにおける第６の実施の形態を示す概略構成を示す図である。
【００５９】
本図に示すように、図１と比較して、携帯端末装置１は折り畳み式であり、音響用スピーカ２ａは、携帯端末装置１の正面、上面及び正面からみて左側面にかかって設置されたスピーカであり、音響用スピーカ２ｂは、携帯端末装置１の正面、下面及び正面からみて左側面にかかって設置されたスピーカである。
本発明は、図９に示した例と比較して、折り畳み式の携帯端末装置１に適用されるので、移動時の持ち運びの利便性に加えて、高音質のステレオ音響再生を提供することが可能になる。
【００６０】
次に、音響用スピーカ同士の間隔は広い方が望ましいが、小型軽量化が進む携帯端末装置１では、携帯端末装置１のサイズ、他の部品の配置により個々の音響用スピーカ間の距離などの寸法は、自ずと限られてしまう。このような場合について、以下に説明を行う。
図１１は本発明に係る携帯端末装置の音響再生システムにおける第７の実施の形態を示す概略構成を示す図であり、図１２は図１１における音響用スピーカ２ａ、２ｂを含むＡ−Ａ’断面を矢印方向から見た概略構成図である。
【００６１】
本図に示すように、図１と比較して、音響用スピーカ２ａ、２ｂは、携帯端末装置１の前面に、音響用スピーカ２ａ、２ｂの表面と携帯端末装置１の表面が一致し、横方向に並んで、携帯端末装置１の前面に向けて、画面表示モニタ１１とキーパネル１２の間に位置する。
音響用スピーカ２ａ、２ｂの間には、クロストーク防止壁８が設けられ、クロストーク防止壁８は、音響用スピーカ２ａ、２ｂの表面から外側に突出した壁で、音響用スピーカ２ａ、２ｂが接近して設置される場合に、音響用スピーカ２ａ、２ｂ間に生じるクロストークを、以下のように、低減し、高音質なステレオ音響再生を実現する。
【００６２】
図１３は図１１、図１２における音響用スピーカ２ａ、２ｂのクロストークの低減を説明する図である。
本図（ａ）では、図７で説明したように、音響用スピーカ２ａ、２ｂ間には、クロストークが発生する。
本図（ｂ）に示すように、クロストーク防止壁８により、音響用スピーカ２ａ、２ｂ間のクロストーク７ａＬ、７ｂＲが物理的に遮蔽され、受聴者の左耳、右耳にそれぞれ達しない。このため、高音質なステレオ音響再生を実現することが可能になる。
【００６３】
なお、クロストーク防止壁８は、携帯端末装置１から突出するため、携帯端末装置１を移動する際に引っかけるなど障害となり得る。そこで、本発明における第７の実施の形態に関する第１の変形例として、クロストーク防止壁８は、使用が不要な場合には、折り畳んだり、取り外し等の移動可能な構造とし、音響を聴取するときのみ携帯端末装置１にセットする構造とする。
【００６４】
これにより、持ち運び時には、破損等の障害とならず、且つ、音響聴取時には高音質のステレオ音響再生が可能となる。
なお、このクロストーク防止壁８は図１１中の上下方向に対し長さを延長した構造とすることができる。クロストーク防止壁８が上下方向に短い場合、防止壁のある部分ではクロストークは回避されるが、防止壁が途切れた位置ではクロストークの要因が生じることとなる。しかし、クロストーク防止壁８を上下方向に長くすることで、よりクロストークを低減することが可能になる。
また、携帯端末装置１内にクロストーク防止壁８の収納スペースを設け、取り外したクロストーク防止壁８を収納することにより、クロストーク防止壁８の紛失を回避することが可能になる。
【００６５】
図１４は図１１における第７の実施の形態に関する概略構成の第２の変形例を示す図である。
本図に示すように、図１１におけるＡ−Ａ’に相当する断面での構成では、音響用スピーカ２ａ、２ｂは、携帯端末装置１の筐体壁位置６より凹んだ位置に設置され、音響用スピーカ２ａ、２ｂ間の境界８’で分けられている。
【００６６】
この境界８’が図１１、図１２の実施の形態で設けられたクロストーク防止壁８に類似の効果をもたらすことにより、外部に突出しないクロストーク防止壁が実現でき、且つ、音響聴取時には高音質なステレオ音響再生を実現可能にする。
図１５は図１１における第７の実施の形態に関する概略構成の第３の変形例を示す図である。
【００６７】
本図に示すように、音響用スピーカ２ａ、２ｂは、携帯端末装置１の筐体壁位置６よりそれぞれ凹んだ位置に設置される。クロストーク防止壁８は音響用スピーカ２ａ、２ｂ間の音響のクロストークを防止する。一般的に、クロストーク防止壁８は、その高さが高いほどその効果が高くなるが、携帯端末装置１の筐体壁位置６から突出すると、障害になり得る。
【００６８】
このため、このように凹んで設置された状態の音響用スピーカ２ａ、２ｂに対して、クロストーク防止壁８が設けられることにより、凹みの深さ分だけ、突出量が減少するため、音響用スピーカ２ａ、２ｂを携帯端末装置１の筐体壁位置６に近接して設置し、凹みを設けなかった場合（図１２）と比較して、外部への突出部分を低減したクロストーク防止壁８が実現できる。且つ音響聴取時には高音質のステレオ音響再生が可能になる。
【００６９】
図１６は本発明に係る携帯端末装置の音響再生システムにおける第８の実施の形態を示す概略構成を示す図である。
本図に示すように、図１と比較して、音響用スピーカ２ａは、携帯端末装置１の正面から見て左側に側面からはみ出して、携帯端末装置１の正面側に向けて設置され、音響用スピーカ２ｂは、携帯端末装置１の正面から見て右側に側面からはみ出して、携帯端末装置１の正面側に向けて設置される。
【００７０】
音響用スピーカ２ａ、２ｂは、その設置位置の携帯端末装置１の筐体壁とは９０度に近い角度をもって設置されている。このように携帯端末装置１の側面に音響用スピーカ２ａ、２ｂをはみ出して設置することで、音響用スピーカ２ａ、２ｂ間の距離は、図１１に記載した本発明における第６の実施の形態例と比較して広がるため、クロストーク防止壁８なしに音響用スピーカ２ａ、２ｂから生じるクロストークが低減できる。よって、部品点数を低減すると共に高音質なステレオ音響再生が実現可能になる。
【００７１】
また、音響用スピーカ２ａ、２ｂを、携帯端末装置１の前面から裏面に向けて、より奥に深く設置することにより、携帯端末装置１自体が音響用スピーカ２ａ、２ｂのクロストーク防止壁のような役割を果たすことで、音響用スピーカ２ａ、２ｂから生じる音響のクロストークがより低減でき、高音質なステレオ音響再生が実現可能になる。
なお、前述のように、音響用スピーカ２ａ、２ｂと筐体壁との角度は自由に変更することが可能である。
また、音響用スピーカ２ａ、２ｂが携帯端末装置１からはみ出すことで、持ち歩きなど携帯時の障害となる可能性がある。そこで、第８の実施の形態に関する変形例として、音響用スピーカ２ａ、２ｂを携帯端末装置１の筐体内に収納可能にし、音響用スピーカ２ａ、２ｂ使用時には筐体から引き出す方式にする。これにより、音響用スピーカ２ａ、２ｂが携帯時に障害となることを回避できるようになる。
【００７２】
図１７は本発明に係る携帯端末装置の音響再生システムにおける第９の実施の形態を示す概略構成を示す図である。
本図に示すように、図１１と比較して、音響用スピーカ２ａは携帯端末装置１の正面から見て左側に側面からはみ出して、携帯端末装置１の正面側に向けて設置され、音響用スピーカ２ｂは携帯端末装置１の正面から見て右側に側面からはみ出して、携帯端末装置１の正面側に向けて設置される。さらに、音響用スピーカ２ａ、２ｂは携帯端末装置１の前面から少し離れた奥に設置される。図１６にて述べた本発明における第７の実施の形態から、さらに、音響用スピーカ２ａ、２ｂの前面で、音響用スピーカ２ａ、２ｂを遮る位置にある筐体壁を削除することで、音響用スピーカ２ａ、２ｂの振動面が筐体壁に覆われないようにする。このため、音響用スピーカ２ａ、２ｂ前面からの音響が受聴者に到達し、音圧がより向上できる。
【００７３】
音響用スピーカ２ａ、２ｂを携帯端末装置１の前面から突出させないので、音響用スピーカ２ａ、２ｂ間の携帯端末装置１本体が両スピーカ間のクロストーク防止壁の役割を果たし、より高音質のステレオ音響再生が可能になる。
なお、前述のように、音響用スピーカ２ａ、２ｂが携帯端末装置１からはみ出すことで、持ち歩きなど携帯時の障害となる可能性がある。そこで、第９の実施の形態に関する変形例として、音響用スピーカ２ａ、２ｂを携帯端末装置１の筐体内に収納可能にし、音響用スピーカ２ａ、２ｂ使用時には筐体から引き出す方式にする。これにより、音響用スピーカ２ａ、２ｂが携帯時に障害となることを回避できるようになる。
【００７４】
図１８は本発明に係る携帯端末装置の音響再生システムにおける第１０の実施の形態を示す概略構成を示す図である。
本図に示すように、図１１と比較して、音響用スピーカ２ａは、携帯端末装置１の正面及び正面から見て左側面にかかって設置され、音響用スピーカ２ｂは、携帯端末装置１の正面及び正面から見て右側面にかかって設置される。
【００７５】
本発明では、図１６と比較して、音響用スピーカ２ａ、２ｂを筐体壁から突出させないため、音響用スピーカ２ａ、２ｂが障害にならずに移動時に音響用スピーカ２ａ、２ｂを引っかけるなどの事態から回避できる。
さらに、音響用スピーカ２ａ、２ｂを互いに外向きに設置することにより、音響用スピーカ２ａ、２ｂの音響のクロストークは小さくなり、より高音質のステレオ音響再生が実現可能になる。
【００７６】
図１９は本発明に係る携帯端末装置の音響再生システムにおける第１１の実施の形態を示す概略構成を示す図であり、図２０は図１９における音響用スピーカ２ａ、２ｂを含むＡ−Ａ’断面を矢印方向から見た概略構成図である。
本図に示すように、図１と比較して、音響用スピーカ２ａ、２ｂは、携帯端末装置１の前面に、音響用スピーカ２ａ、２ｂの表面と携帯端末装置１の表面が一致し、横方向に並んで、画面表示モニタ１１とキーパネル１２の間に位置する。
【００７７】
なお、図１１のクロストーク防止壁８が設けられないので、クロストーク防止壁８に代わり、以下のクロストークを削除する信号処理が行われる。
図２１はクロストーク削除の信号処理を行う回路の概略を示す図である。本図に示すように、音響用スピーカ２ａ、２ｂへの左（Ｌ）、右（Ｒ）信号の分岐信号をそれぞれ入力する逆フィルタ２０ａ、２０ｂが設けられる。
【００７８】
逆フィルタ２０ａ、２０ｂは、入力した分岐信号の位相を反転処理する。
左（Ｌ）、右（Ｒ）信号の分岐点と音響用スピーカ２ａ、２ｂとの間にそれぞれ加算器２１ａ、２１ｂが設けられる。加算器２１ａ、２１ｂは右（Ｒ）、左（Ｌ）信号と逆フィルタ２０ａ、２０ｂの出力信号とをそれぞれ加算して、音響用スピーカ２ａ、２ｂにそれぞれ出力する。
【００７９】
図２２は図２１のクロストークの削除動作を説明する図である。本図（ａ）に示すように、音響用スピーカ２ａ、２ｂから受聴者への音響の伝播方向７ａ、７ｂには、前述のように、クロストークとして、７ａＲ、７ｂＬが含まれる。
本図（ｂ）に示すように、クロストークの信号処理により、前述のクロストーク防止壁８を用いずに、クロストークとしての伝播方向７ａＲ、７ｂＬの音響が位相反転した音響で相殺され削除される。
【００８０】
図２３は図２０における第１１の実施の形態に関する第１の変形例を示す図である。
本図に示すように、音響用スピーカ２ａ、２ｂは、携帯端末装置１の筐体壁６より凹んだ位置に設置される。これにより音響用スピーカ２ａ、２ｂの設置面に対する携帯端末装置１の筐体壁６には、その一部又は全体にキーパネルなどを構成することで、携帯端末装置１内の効率良い部品配置が可能になる。
【００８１】
図２４は図２０における第１１の実施の形態に関する第２の変形例を示す図である。
本図に示すように、音響用スピーカ２ａ、２ｂを携帯端末装置１の筐体から部分的に突出させることにより、突出部分に対応する筐体の内部空間が節約され、この部分に対し他の部品を配置したり、筐体全体を小さくするなどが可能になり、携帯端末装置１の、より小型軽量化が実現可能になる。
【００８２】
図２５は本発明に係る携帯端末装置の音響再生システムにおける第１２の実施の形態を示す概略構成を示す図であり、図２６は図２５における音響用スピーカ２ａ、２ｂを含むＡ−Ａ’断面を矢印方向から見た概略構成図である。
本図に示すように、図１９と比較して、音響用スピーカ２ａ、２ｂは、キーパネル１２にかかり、携帯端末装置１の筐体内部に、凹ませて、設けられる。このように、前記音響用スピーカの携帯端末筐体壁に対する面積占有率が低減される構造とすることで、携帯端末筐体壁をキーパネルなど他の用途に活用でき、携帯端末装置の小型化が実現できる。
【００８３】
さらに、音響用スピーカ２ａ、２ｂは、筐体壁の多孔部６’により覆われるようにしたので、筐体壁の多孔部６’を通して音響が筐体外に伝播され、十分な音圧が得られる。
なお、図２１の信号処理回路により、音響用スピーカ２ａ、２ｂのクロストークが削除される。このようにして、音響聴取時には、十分な音圧で高音質なステレオ音響再生の実現が可能になる。
【００８４】
図２７は本発明に係る携帯端末装置の音響再生システムにおける第１３の実施の形態を示す概略構成を示す図であり、図２８は図２７における携帯端末装置の側面図である。
本図に示すように、図２と比較して、音響用スピーカ２ａ、２ｂは、携帯端末装置１の前面に向けて、長手方向の同一辺の両端に位置し、音響用スピーカ２ｃは、携帯端末装置１の背面に向けて、長手方向の中央に位置する。すなわち、音響用スピーカ２ｃは、音響用スピーカ２ａ、２ｂに対して、１８０度の向きをもつように配置される。
【００８５】
音響用スピーカ２ａ、２ｂには中音〜高音域に特化した特性が与えられ、音響用スピーカ２ｃには低音域に特化した特性を与え、ウーファのように動作させることにより、広帯域でより高音質の音響再生が可能になる。
さらに、本発明における第１２の実施の形態に関する変形として、音響用スピーカ２ａ、２ｂ、２ｃの方向を可動式の構造にする。
【００８６】
例えば、携帯端末装置１を低い位置に置いた場合には音響用スピーカ２ａ、２ｂ、２ｃを上向きにセットし、多人数で聴取するなど広域の音響を得たいときには外向きにセットし聞きやすくするといったように、場合に応じて最適なスピーカ方向を選択することが可能になり、より汎用性が向上できる。
図２９は本発明に係る携帯端末装置の音響再生システムにおける第１４の実施の形態を示す概略構成を示す図である。
【００８７】
本図に示すように、携帯端末装置１には音響スピーカアレイ２ｓが設けられ、音響スピーカアレイ２ｓは、携帯端末装置１の長手方向に一列に携帯端末装置１の背面に向けて配列される複数の音響用スピーカの配列である。
図３０は図２９の音響スピーカアレイ２ｓの指向性を示す図である。本図に示すように、音響スピーカアレイ２ｓの方向に指向性が向上する。本携帯端末装置１を用いて、喫茶店などの場所で、少人数の受聴者で音響を聴取するときなど、受聴者のみに音響が到達し、第３者には音響が到達しなようにすることができ、ヘッドホンなどを用いることなく、周囲への迷惑を回避した音響聴取が可能になる。
【００８８】
図３１は本発明に係る携帯端末装置の音響再生システムにおける第１５の実施の形態を示す概略構成を示す図である。
本図に示すように、図１と比較して、携帯端末装置１の周囲に音響用スピーカ２ａ、２ｂ、２ｃ、２ｄが設けられる。このように、音響用スピーカ２ａ、２ｂ、２ｃ、２ｄを四方に向けて設置することにより、より無指向性の効果を向上させることができる。これにより、多人数の受聴者に聴取させる場合に便利である。
【００８９】
次に、音響用スピーカの数を増加させることなく、音響伝播の指向性を一定方向に絞る例、音響伝播をより広角に広げる無指向性にする例を説明する。
図３２は本発明に係る携帯端末装置の音響再生システムにおける第１６の実施の形態を示す概略構成を示す図である。
本図に示すように、図２９と比較して、２つだけの音響用スピーカ２ａ、２ｂが携帯端末装置１の長手方向の両端に携帯端末装置１の背面に向けて設けられる。音響用スピーカ２ａ、２ｂの音響伝播の指向性は、以下のように、信号処理により一定方向に絞られる。
【００９０】
図３３は図３２の音響用スピーカ２ａ、２ｂの指向性を絞る信号処理の回路例を説明する図である。
本図（ａ）に示すように、音響用スピーカ２ａ、２ｂのうち、例えば、音響用スピーカ２ｂの入力側に遅延器２２が設けられる。
遅延器２２がない場合には、音響用スピーカ２ａ、２ｂの点線で示す音響伝播の方向に指向性が絞られているとする。
【００９１】
遅延器２２がある場合には、右（Ｒ）信号が左（Ｌ）信号よりも遅延して、音響用スピーカ２ａ、２ｂが形成する音響の指向性は、本図（ａ）に示すように、遅延がない場合から遅延がある場合に方向が絞られる。
任意の遅延量の設定により、音響の指向性の方向を任意に絞ることが可能になる。
【００９２】
本図（ｂ）に示すように、音響用スピーカ２ａ、２ｂのうち、例えば、音響用スピーカ２ｂの入力側に減衰器２３が設けられる。
減衰器２３がない場合には、音響用スピーカ２ａ、２ｂの点線で示す音響伝播の方向に指向性が絞られているとする。
減衰器２２により、右（Ｒ）信号が左（Ｌ）信号よりも小さな振幅となり、音響用スピーカ２ａ、２ｂが形成する音響の指向性は、本図（ａ）に示すように、減衰がない場合から減衰がある場合に方向が絞られる。
【００９３】
任意の減衰量の設定により、音響の指向性の方向を任意に絞ることが可能になる。
このようにして、指向性が一定方向に絞られるので、喫茶店などの場所で少人数で音響を聴取するときなどに、受聴者のみに音響が到達し、第３者には音響が到達しないようにすることで、ヘッドホン、イヤホンなどを用いずに周囲への迷惑を回避した音響の聴取が、少数の音響用スピーカで、可能になる。
【００９４】
図３４は図３２における第１６の実施の形態に関する第１の変形例であり、音響用スピーカ２ａ、２ｂの指向性を無指向性にする信号処理の回路例を説明する図である。
本図に示すように、音響用スピーカ２ａの入力側に、左（Ｌ）信号を分岐して遅延する遅延器２４ａと、遅延器２４ａにより遅延された信号を元の左（Ｌ）信号に加算して音響用スピーカ２ａに出力する加算器２５ａが設けられる。
【００９５】
さらに、音響用スピーカ２ｂの入力側に、右（Ｒ）信号を分岐して遅延する遅延器２４ｂと、遅延器２４ｂにより遅延された信号を元の右（Ｒ）信号に加算して音響用スピーカ２ｂに出力する加算器２５ｂが設けられる。
双方に遅延がない左（Ｌ）信号、右（Ｒ）信号により音響用スピーカ２ａ、２ｂからの音響伝播の方向は、本図に示すように、（ａ）方向になる。
【００９６】
遅延がある右（Ｒ）信号と遅延がない左（Ｌ）信号により音響用スピーカ２ａ、２ｂからの音響伝播の方向は、本図に示すように、（ｂ）方向になる。
遅延がない右（Ｒ）信号と遅延がある左（Ｌ）信号により音響用スピーカ２ａ、２ｂからの音響伝播の方向は、本図に示すように、（ｃ）方向になる。
遅延がある右（Ｒ）信号と遅延がある左（Ｌ）信号により音響用スピーカ２ａ、２ｂからの音響伝播の方向は、双方の遅延量が等しい場合には、本図に示すように、（ａ）方向と一致する。
【００９７】
このようにして、携帯端末装置１を中心に輪になって音響を聴取するような場合、携帯端末装置１の片面にのみ音響用スピーカが置かれていると、音響用スピーカの設置されていない側では、音響聴取が困難となることが予想されるが、本発明の信号処理により、音響伝播がより広角に広がる無指向性が実現されることにより、１台の携帯端末装置１にて音響用スピーカを増設することなく、多人数の受聴者により音響聴取が可能になる。
【００９８】
なお、遅延器は音響用スピーカ２ａ、２ｂの入力側にそれぞれ１つづ設けたが、これに限らず、異なる遅延量を持つ遅延器を複数設けてもよい。これにより、さらに、なめらかな無指向性が実現できる。また、スピーカの数を増やすことで、より広角的な音響聴取が可能となる。
次に、時と場合により、受聴者の人数、場所が変化するため、上記信号処理の機能が単一であると不都合を生じる場合があるので、この不都合の回避について以下に説明を行う。
【００９９】
図３５は本発明に係る携帯端末装置の音響再生システムにおける第１７の実施の形態を示す概略構成を示す図である。
本図に示すように、音響用スピーカ２ａ、２ｂの入力側に指向性の絞り信号処理部３１、無指向性信号処理部３２、スイッチ部３３が設けられる。
指向性の絞り信号処理部３１は、図３３に示すような構成を有し、指向性を一定の方向に絞る信号処理を行う。
【０１００】
無指向性信号処理部３２は、図３４に示すような構成を有し、無指向性を形成する信号処理を行う。
スイッチ部３３は、指向性の絞り信号処理部３１、無指向性信号処理部３２を択一に選択する。
このようにして、信号処理機能を選択可能にしたので、状況に応じて最適な信号処理を行うことが可能になると同時に、常に快適な音響聴取が可能になる。
【０１０１】
図３６は本発明に係る携帯端末装置の音響再生システムにおける第１８の実施の形態を示す概略構成を示す図である。
本図に示すように、図１と比較して、音響用スピーカ２ａ、２ｂは、携帯端末装置１の上部の横方向に配置され、音響用スピーカ２ａは携帯端末装置１の前面に向き、音響用スピーカ２ｂは携帯端末装置１の背面に向き、双方は、１８０度異なる向きを有する。
【０１０２】
図３７は図３６における携帯端末装置１の音響の伝播方向を示す図である。本図に示すように、音響聴取位置５ａ、５ｂは、音響用スピーカ２ａ、２ｂからの聴取位置であり、音響の伝播方向７ａ、７ｂは音響用スピーカ２ａ、２ｂから生じた音響の伝播方向を示す。
音響用スピーカ２ａ、２ｂからは、個々に異なる音響を、例えば、２カ国語の音声が複数人で聴取される。例えば、音響用スピーカ２ａからの言語を聴取したい者は音響聴取位置５ａで、音響用スピーカ２ｂからの言語を聴取したい者は音響聴取位置５ｂで聴取することにより、１台の携帯端末装置１で複数の言語を同時に聴取することが可能になる。
【０１０３】
また、このように携帯端末装置１の両面に音響用スピーカ２ａ、２ｂを設置することで音響を無指向性とする効果も得られ、携帯端末装置１を中心に輪になって音響を聴取する場合、１台の携帯端末装置１にて多数人での音響聴取が可能になる。
例えば、外出先でこのような状態で音響を聴取する場合、携帯端末装置１が１台あれば可能となるため、他の外付けスピーカなどを併せて持参する必要がなくなり荷物の低減が可能となるとともに、携帯端末装置１は基本的に外出時に常に携帯されるものであるため、持参し忘れるといった事態も回避できる。
【０１０４】
図３８は本発明に係る携帯端末装置の音響再生システムにおける第１９の実施の形態を示す概略構成を示す図である。
本図に示すように、図１と比較して、携帯端末装置１には音響用スピーカ２と、通話マイクロフォン兼用の音響用スピーカ４２とが設けられる。
このように、音響用スピーカと通話マイクロフォンとを兼用することで、携帯端末装置１の部品点数が低減され、小型軽量化が実現できる。
【０１０５】
図３９は図３８における第１９の実施の形態に関する第１の変形例を示す図である。
本図に示すように、携帯端末装置１には音響用スピーカ２と、受話スピーカ兼用の音響用スピーカ４３とが設けられる。
このように、音響用スピーカと受話スピーカとを兼用することで、携帯端末装置１の部品点数が低減され、小型軽量化が実現できる。
【０１０６】
図４０は図３８における第１９の実施の形態に関する第２の変形例を示す図である。
本図に示すように、携帯端末装置１には通話マイクロフォン兼用の音響用スピーカ４２と、受話スピーカ兼用の音響用スピーカ４３とが設けられる。
このように、音響用スピーカをそれぞれ通話マイクロフォン、受話スピーカと兼用することで、携帯端末装置１の部品点数が低減され、小型軽量化が実現できる。
【０１０７】
図４１は図３８における第１９の実施の形態に関する第３の変形例を示す図である。
本図に示すように、携帯端末装置１には音響用スピーカ２と、着信音を鳴らすリンガ兼用の音響用スピーカ４４とが設けられる。
このように、音響用スピーカとリンガとを兼用することで、携帯端末装置１の部品点数が低減され、小型軽量化が実現できる。
【０１０８】
図４２は図３８における第１９の実施の形態に関する第４の変形例を示す図である。
本図に示すように、携帯端末装置１には音響用スピーカ２と、着信音を鳴らすバイブレータ兼用の音響用スピーカ４５とが設けられる。
このように、音響用スピーカとバイブレータとを兼用することで、携帯端末装置１の部品点数が低減され、小型軽量化が実現できる。
【０１０９】
図４３は図３８における第１９の実施の形態に関する第５の変形例を示す図である。
本図に示すように、携帯端末装置１には音響用スピーカ２と、画面表示モニタ兼用の音響用スピーカ４６とが設けられる。
このように、音響用スピーカと画面表示モニタとを兼用することで、携帯端末装置１の部品点数が低減され、小型軽量化が実現できる。
【０１１０】
図４４は図３８における第１９の実施の形態に関する第６の変形例を示す図である。
本図に示すように、携帯端末装置１には音響用スピーカ２と、キーパネル兼用の音響用スピーカ４７とが設けられる。
このように、音響用スピーカとキーパネルと兼用することで、携帯端末装置１の部品点数が低減され、小型軽量化が実現できる。
【０１１１】
以上の説明で再生される音響データが、携帯端末装置１に内蔵される内蔵メモリ、媒体などに記憶されているものを再生したり、又はダウンロードサイト、パーソナルコンピュータ（ＰＣ）などの外部ソースからの受信と同時に記憶されている音響データが再生されるように取り扱われることにより、携帯端末装置１は音源と音響スピーカ双方を兼ね備えた構造となっている。これでは音響データが限られるので、以下のようにして、音響データの入手範囲の拡大を図る。
【０１１２】
図４５は本発明に係る携帯端末装置の音響再生システムにおける第２０の実施の形態を示す概略構成を示す図である。
本図に示すように、図４０と比較して、携帯端末装置１には信号入力端子５０が設けられ、信号入力端子５０にはデータ受信ケーブル５１を介して音響信号発生装置５２が接続される。音響信号発生装置５２はパーソナルコンピュータ、デッキ等からなる。
【０１１３】
本発明によれば、携帯端末装置１を外付け音響用スピーカのように機能させ、他の音源からの音響を再生する機能を付加することにより、より多くの音響データに対応可能になる。
さらに、第２０の実施の形態に関する第１の変形例として、携帯端末装置１を複数の音響信号発生装置５２に接続させ、入力音源の取得先をスイッチで切り換える。これにより、複数の音源からの音響が容易に比較できるなど、利便性が向上する。
【０１１４】
さらに、第２０の実施の形態に関する第２の変形例として、外部からの入力信号を再生する場合、通話マイクロフォン兼用の音響用スピーカ４２、受話スピーカ兼用の音響用スピーカ４３をアンプレス駆動可能なスピーカとすることにより、携帯端末装置１自体の電源を切った状態での音響再生が可能になる。これにより、携帯端末装置１が節電され、１回の充電に対する使用可能時間が増加し、バッテリーの残量にとらわれることなく、高音質の音響再生が可能になる。
また、これは、通話マイクロフォンや受話スピーカ兼用ではない音響スピーカの場合でも、同様の効果が得られる。
さらに、第２０の実施の形態に関する第３の変形例として、携帯端末装置１は音響信号発生装置５２から無線、例えば、ｂｌｕｅｔｏｏｔｈなどで音響データを得る。ケーブルが使用されないので、システムの構成が簡素化できる。
【０１１５】
図４６は本発明に係る携帯端末装置の音響再生システムにおける第２１の実施の形態を示す概略構成を示す図である。
本図に示すように、図４０と比較して、携帯端末装置１にはヘッドホン装着端子５３が設けられ、ヘッドホン装着端子５３にはデータ受信ケーブル５１を介してヘッドホン５４が接続される。
【０１１６】
このようにして、公共の交通機関、図書館など、周囲に音を漏らせないような場合にはヘッドホン５４にてステレオ音響の聴取が可能である。
さらに、第２１の実施の形態に関する第１の変形例として、公共の交通機関などで音響が第３者に聞こえることが好ましくないような場合には、再生音響が携帯端末装置１の受話スピーカから再生されると共に、通話音声と同時に送信し通話相手の受話スピーカから再生されるような構成にする。
【０１１７】
これにより、周囲の多大な迷惑とならずに、心地よいＢＧＭを伴った会話が実現できる。
また、本ＢＧＭに駅の騒音、雑踏、デパート、居酒屋の喧騒など選択することにより、より会話を弾ませることが可能になる。
【符号の説明】
【０１１８】
１…携帯端末装置
２、２ａ、２ｂ、２ｃ、２ｄ…音響用スピーカ
２ｓ…音響スピーカアレイ
５、５ａ、５ｂ…音響聴取位置
６…筐体壁位置
６’…筐体壁の多孔部
７、７ａ、７ｂ、７ａＲ、７ａＬ、７ｂＲ、７ｂＬ…伝播方向
８、８’…クロストーク防止壁
１１…画面表示モニタ
１２…キーパネル
１３…受話口
１４…送話口
１５…アンテナ
２０ａ、２０ｂ…逆フィルタ
２２、２４ａ、２４ｂ…遅延器
２３…減衰器
３１…指向性の絞り信号処理部
３２…無指向性信号処理部
３３…スイッチ部
４２…通話マイクロフォン兼用の音響用スピーカ
４３…受話スピーカ兼用の音響用スピーカ
４４…リンガ兼用の音響用スピーカ
４５…バイブレータ兼用の音響用スピーカ
４６…画面表示モニタ兼用の音響用スピーカ
４７…キーパネル兼用の音響用スピーカ
５０…信号入力端子
５１…データ受信ケーブル
５２…音響信号発生装置
５３…ヘッドホン装着端子
５４…ヘッドホン
【図１】
2011147140.tif 000003
【図２】
2011147140.tif 000004
【図３】
2011147140.tif 000005
【図４】
2011147140.tif 000006
【図５】
2011147140.tif 000007
【図６】
2011147140.tif 000008
【図７】
2011147140.tif 000009
【図８】
2011147140.tif 000010
【図９】
2011147140.tif 000011
【図１０】
2011147140.tif 000012
【図１１】
2011147140.tif 000013
【図１２】
2011147140.tif 000014
【図１３】
2011147140.tif 000015
【図１４】
2011147140.tif 000016
【図１５】
2011147140.tif 000017
【図１６】
2011147140.tif 000018
【図１７】
2011147140.tif 000019
【図１８】
2011147140.tif 000020
【図１９】
2011147140.tif 000021
【図２０】
2011147140.tif 000022
【図２１】
2011147140.tif 000023
【図２２】
2011147140.tif 000024
【図２３】
2011147140.tif 000025
【図２４】
2011147140.tif 000026
【図２５】
2011147140.tif 000027
【図２６】
2011147140.tif 000028
【図２７】
2011147140.tif 000029
【図２８】
2011147140.tif 000030
【図２９】
2011147140.tif 000031
【図３０】
2011147140.tif 000032
【図３１】
2011147140.tif 000033
【図３２】
2011147140.tif 000034
【図３３】
2011147140.tif 000035
【図３４】
2011147140.tif 000036
【図３５】
2011147140.tif 000037
【図３６】
2011147140.tif 000038
【図３７】
2011147140.tif 000039
【図３８】
2011147140.tif 000040
【図３９】
2011147140.tif 000041
【図４０】
2011147140.tif 000042
【図４１】
2011147140.tif 000043
【図４２】
2011147140.tif 000044
【図４３】
2011147140.tif 000045
【図４４】
2011147140.tif 000046
【図４５】
2011147140.tif 000047
【図４６】
2011147140.tif 000048